(57)【要約】【課題】手間無く容易に通信状態に応じて画像の表示状態を変更できるテレビ電話機の画像表示方法を提供することを課題とする。【解決手段】カメラと表示器を備えたテレビ電話機の画像表示方法であって、前記テレビ電話機は、複数のテレビ電話機と回線で接続してあると共に、前記カメラで撮影した画像を他のテレビ電話機の表示器に分割表示可能であると共に、他のテレビ電話機の何れか１機と音声通話が可能であり、前記他のテレビ電話機との音声の通信状態を検出し、その検出した通信状態が発信中または着信中であれば、その通信相手であるテレビ電話機からの画像を識別表示するか、もしくは、その通信相手であるテレビ電話機からの画像を該検出以前の状態に比し、拡大表示するかの、少なくとも何れか一方を実施する。【選択図】        図1
2005167303.tif 000002
【特許請求の範囲】
【請求項１】
カメラと表示器を備えたテレビ電話機の画像表示方法であって、
前記テレビ電話機は、複数のテレビ電話機と回線で接続してあると共に、前記カメラで
撮影した画像を他のテレビ電話機の表示器に分割表示可能であると共に、他のテレビ電話
機の何れか１機と音声通話が可能であり、
前記他のテレビ電話機との音声の通信状態を検出し、その検出した通信状態が発信中ま
たは着信中であれば、その通信相手であるテレビ電話機からの画像を識別表示するか、も
しくは、その通信相手であるテレビ電話機からの画像を該検出以前の状態に比し、拡大表
示するかの、少なくとも何れか一方を実施する、テレビ電話機の画像表示方法。
【請求項２】
カメラと表示器を備えたテレビ電話機の画像表示方法であって、
前記テレビ電話機は、複数のテレビ電話機と回線で接続してあると共に、前記カメラで
撮影した画像を他のテレビ電話機の表示器に分割表示可能であると共に、他のテレビ電話
機の何れか１機と音声通話が可能であり、
前記他のテレビ電話機との音声の通信状態を検出し、その検出した通信状態が通話可能
状態であれば、その通信相手であるテレビ電話機からの画像を識別表示するか、もしくは
、その通信相手であるテレビ電話機からの画像を該検出以前の状態に比し、拡大表示するかの、少なくとも何れか一方を実施する、テレビ電話機の画像表示方法。
【発明の詳細な説明】
【技術分野】
【０００１】
本発明は、カメラと表示器を備えたテレビ電話機の画像表示方法に関し、詳しくは
他のテレビ電話機との通信状態を検知し、その検知した通信状態によって他のテレビ電話機からの画像の表示状態を変更するテレビ電話機の画像の表示方法に関する。
【背景技術】
【０００２】
この種のテレビ電話機は、カメラと表示器と入力手段を備え、複数の同様なテレビ電話機と互いに接続してある。そして、各テレビ電話機の表示器は、その表示領域を複数に分割して、接続する他の複数のテレビ電話機のカメラが撮像した各画像を、それぞれの領域にリアルタイムに表示している。また、これらのテレビ電話機において、任意の２者間で通話中となれば、各通話者は各々自身の入力手段の入力操作により、通話相手となるテレビ電話機のカメラからの画像を拡大表示する操作を行って画像を見ながら通話していた。また、各通話者は通話中であっても通話相手でない他の複数のテレビ電話機からの全ての画像を表示器に表示できるように、各々自身の入力手段の入力操作によりそれらの各画像を縮小表示する操作を行っていた。
【０００３】
なお、例えば特許文献１には、表示器に表示したメインウインドーとそのメインウインドーの一部にサブウインドーを備え、個々のウインドーにリアルタイム情報が表示可能な技術が開示されている。
【特許文献１】特開２００３−２０８２５２号公報
【発明の開示】
【発明が解決しようとする課題】
【０００４】
しかしながら、上述したテレビ電話機の画像表示方法では、各通話者は通話するごとに、表示器上の通話相手からの画像を入力手段によって拡大表示する操作および他のテレビ電話機からの各画像を縮小表示する操作が必要であり手間であった。
本発明は、このような課題を解決しようとするもので、その目的は、手間無く容易に通信状態に応じて画像の表示状態を変更できるテレビ電話機の画像表示方法を提供することである。
【課題を解決するための手段】
【０００５】
本発明は、上記の目的を達成するためのものであって、以下のように構成されている。
請求項１に記載の発明は、カメラと表示器を備えたテレビ電話機の画像表示方法であって、前記テレビ電話機は、複数のテレビ電話機と回線で接続してある。そして、前記カメラで撮影した画像を他のテレビ電話機の表示器に分割表示可能であると共に、他のテレビ電話機の何れか１機と音声通話が可能である。そして、前記他のテレビ電話機との音声の通信状態を検出し、その検出した通信状態が発信中または着信中であると、その通信相手であるテレビ電話機からの画像を識別表示する。または、その通信相手であるテレビ電話機からの画像を該検出以前の状態に比し拡大表示する。そのため検知した通信状態が、「発信中」または「着信中」であれば、例えば発信相手または着信相手の画像の周縁部を点灯させたり、もしくは「発信中」または「着信中」を検知する以前の画像の状態より拡大表示することができる。このように、通話者は自身の手間を要することなく、発信中または着信中の相手を容易に判別して見ることができる。
【０００６】
請求項２に記載の発明は、カメラと表示器を備えたテレビ電話機の画像表示方法であって、前記テレビ電話機は、複数のテレビ電話機と回線で接続してある。そして、前記カメラで撮影した画像を他のテレビ電話機の表示器に分割表示可能であると共に、他のテレビ電話機の何れか１機と音声通話が可能である。そして、前記他のテレビ電話機との音声の通信状態を検出し、その検出した通信状態が通話可能状態であると、その通信相手であるテレビ電話機からの画像を識別表示する。または、その通信相手であるテレビ電話機からの画像を該検出以前の状態に比し拡大表示する。そのため検知した通信状態が、「通話中」であれば、例えば通話相手の画像の周縁部を点灯させたり、もしくは「通話中」を検知する以前の画像の状態より拡大表示することができる。このように、通話者は自身の手間を要することなく、通話中の相手を容易に判別して見ることができる。
【発明を実施するための最良の形態】
【０００７】
以下、本発明を実施するための最良の形態を、図１〜３を用いて説明する。
図１は、複数のテレビ電話機によって構築されたシステム構成図である。また図２、図３は、図１に記載のテレビ電話機１０、２０にそれぞれ本発明のテレビ電話機の画像表示方法を適用した実施の形態について説明する図である。
なお、本実施の形態に記載の「第１のテレビ電話機１０」〜「第５のテレビ電話機５０」の５台のテレビ電話機が、本発明の「複数のテレビ電話機」に相当する。
【０００８】
まず、図１に示すように、各テレビ電話機１０、２０、３０、４０、５０には、カメラ（例えば、ＣＣＤカメラ等）１２、２２、３２、４２、５２と、表示器（例えば、液晶モニタ等）１１、２１、３１、４１、５１と、入力手段１３、２３、３３、４３、５３と、をそれぞれ備えてある。そして、各テレビ電話機１０、２０、３０、４０、５０は、インターネットなどの通信網に、通信回線１００、いわゆるアクセス回線（足廻り回線）を介して接続してある。なお、インターネットなどの通信網は、図示を省略している。
【０００９】
この通信回線１００によって、各テレビ電話機１０、２０、３０、４０、５０間における、画像と音声の通信をそれぞれ実施している。すなわち、第１のテレビ電話機１０を例に説明すると、カメラ１２で撮像した画像は、接続する他のテレビ電話機の各表示器にリアルタイムで表示する。例えば、第１のテレビ電話機１０に付設のカメラ１２で撮像した画像は、接続中の第２のテレビ電話機２０の表示器２１、第３のテレビ電話機３０の表示器３１、第４のテレビ電話機４０の表示器４１、第５のテレビ電話機５０の表示器５１へそれぞれリアルタイムに表示する。また、第２のテレビ電話機２０、第３のテレビ電話機３０、第４のテレビ電話機４０、第５のテレビ電話機５０も同様に接続する他のテレビ電話機の各表示器へ自身が撮影した画像をリアルタイムに表示する。なお、これらの各画像は、各テレビ電話機１０、２０、３０、４０、５０が待ち受け状態であっても互いに表示してある。この待ち受け状態とは、例えば各テレビ電話機１０、２０、３０、４０、５０において、図示しない電源を投入し、カメラで撮影した画像を送信可能な状態であり、且つ音声の通信状態が発信中、着信中、通話中のいずれでもない状態である。
【００１０】
したがって、第１のテレビ電話機１０の表示器１１には、受信する画像数に対応するように、この場合は４機分の表示領域１１ａ、１１ｂ、１１ｃ、１１ｄに分割し表示する。そして、図２（Ａ）に示すように第２のテレビ電話機２０のカメラ２２で撮像した画像（以下、「画像β」と記す）を表示領域１１ａへ割り付け、第３のテレビ電話機３０のカメラ３２で撮像した画像（以下、「画像γ」と記す）を表示領域１１ｂへ割り付け、第４のテレビ電話機４０のカメラ４２で撮像した画像（以下、「画像δ」と記す）を表示領域１１ｃへ割り付け、第５のテレビ電話機５０のカメラ５２で撮像した画像（以下、「画像ε」と記す）を表示領域１１ｄへ割り付けそれぞれリアルタイムに表示してある。
【００１１】
また、第２のテレビ電話機２０の表示器２１も同様に、４分割となる表示領域２１ａ、２１ｂ、２１ｃ、２１ｄを形成して、図３（Ａ）に示すように、第１のテレビ電話機１０のカメラ１２で撮像した画像（以下、「画像α」と記す）を表示領域２１ａへ割り付け、画像γを表示領域２１ｂへ割り付け、画像δを表示領域２１ｃへ割り付け、画像εを表示領域２１ｄへ割り付けそれぞれリアルタイムに表示してある。
【００１２】
また、第３のテレビ電話機３０の表示器３１および第４のテレビ電話機４０の表示器４１および第５のテレビ電話機５０の表示器５１も同様である。
【００１３】
また、各テレビ電話機１０、２０、３０、４０、５０には、予め異なる識別情報（例えば、ＩＰアドレス等であり、以下「ＩＰアドレス」を例に説明する）が割り付けてあり、そのＩＰアドレスを各入力手段１３、２３、３３、４３、５３から入力することで、所望するテレビ電話機を呼び出し通話することができる。
【００１４】
次に、これらの各テレビ電話機１０、２０、３０、４０、５０において、第１のテレビ電話機１０から第２のテレビ電話機２０への発信中（呼び出し中）における、第１のテレビ電話機１０の表示器１１および第２のテレビ電話機２０の表示器２１が表示する各画像の状態について説明する。
【００１５】
例えば第１のテレビ電話機１０が、第２のテレビ電話機２０を呼び出した場合について説明する。第１のテレビ電話機１０の使用者が、第２のテレビ電話機２０のＩＰアドレスを入力手段１３から入力すると、呼び出し先情報（この場合、第２のテレビ電話機２０のＩＰアドレス）と呼び出し元情報（この場合、第１のテレビ電話機１０のＩＰアドレス）が通信回線１００へ送信される。そして、通信回線１００と接続している、図示しないアクセスポイントを介して第２のテレビ電話機２０へ、この呼び出し先情報と呼び出し元情報を送信する。
【００１６】
このように、第１のテレビ電話機１０は、第２のテレビ電話機２０のＩＰアドレスの入力を受け付けると、自身の通信状態が第２のテレビ電話機２０と「発信中」であるとの検知をする。この「発信中」の検知により、図２（Ｂ）に示すように第２のテレビ電話機２０からの画像βを表示する表示領域１１ａの周縁に、他の複数の画像と区別可能にする識別部１１ａ−１を設け、その識別部１１ａ−１を点灯させる。このように、呼び出し相手（この場合は呼び出し相手は、第２のテレビ電話機２０）となるテレビ電話機の画像の周縁を点灯させるために、その点灯により呼び出し先を判別でき、例えば呼び出し先を間違えていれば呼び出し中にその間違いに気付き呼び出しを中止することができる。
【００１７】
一方、第２のテレビ電話機２０は、第１のテレビ電話機１０からアクセスポイントを介して呼び出し先情報（この場合、第２のテレビ電話機２０のＩＰアドレス）と呼び出し元情報（この場合、第１のテレビ電話機１０のＩＰアドレス）を受信すると、自身の通信状態が第１のテレビ電話機２０から「着信中」であるとの検知をする。この「着信中」の検知により、図３（Ｂ）に示すように第１のテレビ電話機１０からの画像αを表示する表示領域２１ａの周縁に、他の複数の画像と区別可能にする識別部２１ａ−１を設け、その識別部２１ａ−１を点灯させる。このように、呼び出し操作を受けたテレビ電話機（この場合は、第１のテレビ電話機１０）からの画像の周縁部を点灯させるために、その点灯により呼び出されている相手を判別できるために、通話開始後に即座に相手との会話に対応することができる。
【００１８】
続いて第２のテレビ電話機２０が着信中に受話器をあげると、第２のテレビ電話機２０は所定の信号（例えば、オフフック信号等であり、以下「オフフック信号」を例に説明する）を第１のテレビ電話機１０へ送信する。第１のテレビ電話機１０は、第２のテレビ電話機２０から、このオフフック信号を受信すると、自身の通信状態が第２のテレビ電話機２０と「通話中」であるとの検知をする。この「通話中」の検知により、図２（Ｃ）に示すように第１のテレビ電話機１０の表示器１１の表示領域１１ａが拡大され画像βが拡大表示される。この拡大表示に伴い、他のテレビ電話機からの画像γ、画像δ、画像εが縮小表示される。このように、通話中となれば、その相手先のテレビ電話機からの画像が拡大表示されるために、通話中となる毎に画像の拡大表示をする手間を必要としない。そして、通話中の終了を検知すると、拡大表示されていた画像は元のサイズに戻る構成である。
【００１９】
一方、第２のテレビ電話機２０が着信中に受話器をあげると、自身のオフフック信号により、自身の通信状態が第１のテレビ電話機１０と「通話中」であるとの検知をする。この「通話中」の検知により、図３（Ｃ）に示すように第２のテレビ電話機２０の表示器２１の表示領域２１ａが拡大され画像αが拡大表示される。この拡大表示に伴い、他のテレビ電話機からの画像γ、画像δ、画像εが縮小表示される。このように、通話中となれば、その相手先のテレビ電話機からの画像が拡大表示されるために、通話中となる毎に画像の拡大表示をする手間を必要としない。そして、通話中の終了を検知すると、拡大表示されていた画像は元のサイズに戻る構成である。
【００２０】
上述した内容は、あくまでも本発明の一実施の形態に関するものであって、本発明が上記内容に限定されることを意味するものではない。
実施の形態では、各テレビ電話機１０、２０、３０、４０、５０に予め割り付ける識別情報がＩＰアドレスである例を説明したが、これに限定させるものでなく、例えば電話番号でも構わない。したがって、第１のテレビ電話機１０が、第２のテレビ電話機２０を呼び出す場合、第１のテレビ電話機１０の使用者が、第２のテレビ電話機２０の電話番号を入力手段１３から入力し、呼び出し先情報（この場合、第２のテレビ電話機２０の電話番号）と呼び出し元情報（この場合、第１のテレビ電話機１０の電話番号）が通信回線１００へ送信される。そして、同様に通信回線１００と接続している、図示しないアクセスポイントを介して第２のテレビ電話機２０へ、この呼び出し先情報と呼び出し元情報を送信する。
【図面の簡単な説明】
【００２１】
【図１】複数のテレビ電話機によって構築されたシステム構成図である。
【図２】図１に記載のテレビ電話機１０に本発明のテレビ電話機の画像表示方法を適用した実施の形態について説明する図である。
【図３】図１に記載のテレビ電話機２０に本発明のテレビ電話機の画像表示方法を適用した実施の形態について説明する図である。
【符号の説明】
【００２２】
１０、２０、３０、４０、５０    テレビ電話機
１１、２１、３１、４１、５１    表示器
１１ａ、１１ｂ、１１ｃ、１１ｄ    表示領域
１１ａ−１    識別部
１２、２２、３２、４２、５２    カメラ
１３、２３、３３、４３、５３    入力手段
２１ａ、２１ｂ、２１ｃ、２１ｄ    表示領域
２１ａ−１    識別部
【図１】
2005167303.tif 000003
【図２】
2005167303.tif 000004
【図３】
2005167303.tif 000005